(57)【要約】【課題】２Ｌマリネリ容器やＵ−８容器等の測定容器にポリエステルフィルム或いはシートを均一に充填させ、一定の充填高さに入れることを可能とし、精度の高いガンマ線放射性核種の定量分析方法を提供する。【解決手段】ポリエステルフィルム或いはシートを２Ｌマリネリ容器、又はＵ−８容器に所定量充填し、ポリエステル可溶性溶剤を所定量加えて完溶状態に調製した溶液試料について、Ｇｅ半導体検出器により放射能測定することを特徴とする。【選択図】なし【特許請求の範囲】
【請求項１】
ポリエステルフィルム或いはシートを２Ｌマリネリ容器、又はＵ−８容器に所定量充填し、ポリエステル可溶性溶剤を所定量加えて完溶状態に調製した溶液試料について、Ｇｅ半導体検出器により放射能測定することを特徴とするガンマ線放射性核種定量分析方法。
【請求項２】
溶剤がヘキサフルオロ−２−プロパノールであることを特徴とする請求項１記載のガンマ線放射性核種定量分析方法。
【請求項３】
２Ｌマリネリ容器を測定用容器として用い、ポリオレフィン製の内装袋を２Ｌマリネリ容器に入れて、その中で完溶状態に調製した溶液試料について、Ｇｅ半導体検出器により放射能測定することを特徴とする請求項１または２記載のガンマ線放射性核種定量分析方法。
【請求項４】
溶液試料の固形分濃度が、重量％濃度で５〜１５ｗｔ％であることを特徴とする請求項１から３のいずれか記載のガンマ線放射性核種定量分析方法。
【発明の詳細な説明】
【技術分野】
【０００１】
本発明は、これまでガンマ線放射性核種の定量分析が困難であったポリエステルフィルム或いはシートについて精度の高い定量分析を可能とするゲルマニウム半導体検出器を用いたガンマ線放射性核種定量分析方法に関する。
【背景技術】
【０００２】
２０１１年３月１１日に発生した東日本大震災および巨大津波は、被災地に大惨事をもたらしただけでなく、福島第１原子力発電所の事故により何十年と及ぶ深刻な放射能問題も引き起こした。
【０００３】
このような状況の下、昭和６１年に発生したチェルノブイリ原子力発電所事故に伴い、斉一性のある放射能評価データを得るため関係省庁が規格化し発行してきたマニュアル（公定法）を基に、各自治体や民間企業、団体が各種食品や環境中の大気や水、土壌等について放射能汚染の実態調査を行い、モニターを続けている。
【０００４】
また政府は、福島第１原子力発電所の事故以降、人体に直接影響を与える主に食品や飲料水についてガンマ線の放射性ヨウ素と放射性セシウムの暫定規制値を定め、その後、半減期が長いため残留している放射性セシウムについて新たな基準値を定めて、それを超えた食品や飲料水については公共機関や民間企業に供給や出荷停止、回収等を要請している。
【０００５】
放射能測定では主にサーベイメーターの線量測定器とガンマ線スペクトロメーターの２種類に分けられるが、どのエネルギーのガンマ線（＝核種）がどの程度あるか（定量）を測定する場合は、後者のガンマ線スペクトロメーターで測定・解析しなければならない。ガンマ線スペクトロメーターは主にＮａＩ（Ｔｌ）シンチレーション検出器とゲルマニウム半導体検出器（以下、Ｇｅ半導体検出器と略す）があるが、エネルギー分解能は後者のＧｅ半導体検出器の方が数十倍優れておりエネルギー解析による核種の定量精度が高い。従って、基準値は主にＧｅ半導体検出器による定量値で定めており、前処理を含む測定方法については、関係省庁から公定法が発行されている。
【０００６】
Ｇｅ半導体検出器による放射能測定の測定容器としては、公定法でも規定され精度の高い定量分析を行うために必要な効率校正用の標準体積線源も頒布されている大容量の２Ｌマリネリ容器と約１００ｍｌ容量のＵ−８容器の主に２種類ある。
【０００７】
２Ｌマリネリ容器は試料量が多くできるのでガンマ線の検出感度が高く測定時間が短くて済むが、逆に試料が多く必要であり容器自体も高価なため使い捨ては通常できない。一方、小型容器のＵ−８容器は試料量が少ないので測定時間は長いが、逆に試料量が少なくて済み、安価なため使い捨てができる。
【０００８】
また、公定法で対象としている試料は、大気、降下物および降水、飲料水および源水、牛乳、乳製品、葉菜類、海藻類、魚類、海水、土壌、穀類、豆類、肉類、卵の環境試料と食品である。
【０００９】
さらに、放射能汚染は食品や環境試料に限らず、工業製品についても国内の取引き及び海外への輸出等で支障が生じるケースが問題となり、ガンマ線を対象として（社）日本電気計測器工業会が「工業製品の放射線汚染を確認するための一次的な測定方法のガイドライン」を策定した。また、公定法としては、ベータ線及びアルファ線を対象としたＪＩＳ
Ｚ  ４５０４：２００８「放射性表面汚染の測定方法」が工業製品に適用できるが、前者は汚染の有無の判断基準でしかなく、何れも表面の放射能汚染について線量測定器で測定するため、核種の特定とその定量分析は出来なかった。
【００１０】
工業製品について放射性核種定量分析の公定法が無いのは、その分野や形態、材質等が多種多様にあり、測定法のマニュアル化が困難であることや直接人体に入ることが稀で放射能による被曝の影響が小さいことも原因の一つと考えられる。
【００１１】
しかしながら、工業製品の中でもプラスチック、とりわけポリエステルフィルム或いはシートは、優れた特性を有することから食品や工業製品等の多岐にわたる膨大な包装材料や電化製品（例えば、ディスプレイ）用の機能性フィルムおよびシート基材（一般的に、膜厚が２００μｍ未満はフィルム、以上はシートとされる）などに多く使用されている。そこで本発明者は、人の日常生活で身近に存在するものであることから、食品や環境試料と同じ様にガンマ放射性核種定量分析が必要と考えた。
【００１２】
ポリエステルフィルム或いはシートが放射能汚染する要因を考えた場合、原材料からの汚染の可能性もあるが、以前、食品大手の粉ミルクから放射性セシウムが検出され、基準値以下の値であるにもかかわらず乳児への影響を重視して無償交換したという事例があり、原因として乳原料や水では無く、製造時に大気中からセシウムが混入された可能性が高いと発表された様に、ポリエステルフィルム或いはシートも製造工程を経て製品化されるので、たとえ原材料が安全でもフィルムやシート化した製品が汚染されている可能性がある。
【００１３】
しかし、放射能汚染したポリエステルフィルム或いはシートを一定量採取してＧｅ半導体検出器による精度の高いガンマ線放射性核種の定量分析を行う場合には、２Ｌマリネリ容器やＵ−８容器に均一に分散させ、一定の充填高さに入れる必要がある。しかし、食品や環境試料とは異なりポリエステルフィルム或いはシートの単一体は通常常温では可塑性が無い枚葉状固形物であるため均一な充填が困難であり、精度の高い定量分析への適用が難しかった。
【００１４】
従来、これらの課題に対する方法として、例えば、ポリエステルフィルム或いはシートと同じ有機物である植物や海産生物の試料前処理方法として電気炉を使い５００℃を越えない温度で乾式灰化する公定法（非特許文献１）や文献（非特許文献２）がある。また、ポリエステルフィルム巻出し部と巻取り部の間にフィルムを挟んで対向に位置されるアルファ線放射能測定器とベータ放射能測定器を備えた放射能測定装置（特許文献１）などがある。これは、廃水の効率的な放射能自動測定装置として、対向位置にある両測定器の手前（両測定器と巻出し部の間）でフィルム面上に廃水を滴下し乾燥機により蒸発乾固させて放射能測定する装置であり、発明の目的は異なるもののフィルム自体の放射能測定にも利用でき、ガンマ線測定器も装置内に組み込むことが出来ると考えられる。
【００１５】
しかしながら、前者の乾式灰化では、一般的に灰化に長時間を要し減容が非常に大きいので大量な試料量が必要であるのと、加熱により放射性核種が気散して周囲を汚染したり、特に測定対象核種のＣｓ−１３７は酸化物を形成して気化により損失してしまう課題があった。また、後者の測定装置では、表面汚染密度（Ｂｑ／ｍ２）の連続測定であるためエネルギー解析を伴わない検出感度を重視した計数測定、すなわちアルファ線についてはＺｎＳ（Ａｇ）シンチレーション検出器、ベータ線についてはＧＭ管やプラスチックシンチレーション検出器、ガンマ線についてはＮａＩ（Ｔｌ）シンチレーション検出器等を使用する。このため、政府が定めたガンマ線放射性核種の基準値（放射能濃度：Ｂｑ／ｋｇ）の検査には適用できなかった。
【先行技術文献】
【非特許文献】
【００１６】
【非特許文献１】文部科学省、放射能測定法シリーズ１３「ゲルマニウム半導体検出器等を用いる機器分析のための試料の前処理法」（昭和５７年）
【非特許文献２】野中  信博ら：分析化学、Ｖｏｌ．３０、５９９、“植物試料の乾式灰化に伴う元素の損失”（１９８１年）
【特許文献】
【００１７】
【特許文献１】特開昭６１−２０４５８１号公報
【発明の概要】
【発明が解決しようとする課題】
【００１８】
本発明は、上記の技術的背景を考慮してなされたものであり、２Ｌマリネリ容器やＵ−８容器等の測定容器にポリエステルフィルム或いはシートを均一に充填させ、一定の充填高さに入れることを可能とし、精度の高いガンマ線放射性核種の定量分析方法を提供することを目的とする。
【課題を解決するための手段】
【００１９】
上記の課題を解決するための手段として、請求項１に記載の発明は、ポリエステルフィルム或いはシートを２Ｌマリネリ容器、又はＵ−８容器に所定量充填し、ポリエステル可溶性溶剤を所定量加えて完溶状態に調製した溶液試料について、Ｇｅ半導体検出器により放射能測定することを特徴とするガンマ線放射性核種定量分析方法である。
【００２０】
また、請求項２に記載の発明は、溶剤がヘキサフルオロ−２−プロパノールであることを特徴とする請求項１記載のガンマ線放射性核種定量分析方法である。
【００２１】
また、請求項３に記載の発明は、２Ｌマリネリ容器を測定用容器として用い、ポリオレフィン製の内装袋を２Ｌマリネリ容器に入れて、その中で完溶状態に調製した溶液試料について、Ｇｅ半導体検出器により放射能測定することを特徴とする請求項１または２記載のガンマ線放射性核種定量分析方法である。
【００２２】
また、請求項４に記載の発明は、溶液試料の固形分濃度が、重量％濃度で５〜１５ｗｔ％であることを特徴とする請求項１から３のいずれか記載のガンマ線放射性核種定量分析方法である。
【発明の効果】
【００２３】
以上の様に、本発明のポリエステルフィルム或いはシートのガンマ線放射性核種定量分析方法によれば、２Ｌマリネリ容器やＵ−８容器等の測定容器にポリエステルフィルム或いはシートを充填し溶剤により溶液状態にして、均一且つ一定の充填高さにすることができ、精度の高いガンマ線放射性核種の定量分析を可能とする利点を有している。
【発明を実施するための形態】
【００２４】
以下、本発明の好ましい実施形態について詳細に説明する。
【００２５】
本発明に係るポリエステルフィルム或いはシートは、ポリエチレンテレフタレートやポリブチレンテレフタレート、ポリエチレンナフタレート等の芳香族ポリエステル、そしてポリエチレンサクシネートやポリグリコール酸、ポリ乳酸等の脂肪族ポリエステル等を指し、フィルムやシートの膜厚は特に制限ないが、通常数十μｍ〜数百μｍのものを指す。そして、ポリエステルフィルム或いはシートは適当なサイズに切断する。例えばハサミや断裁機、或いはシュレッダー等を使用して、適当なサイズ、具体的には数ｍｍ〜数ｃｍ角
程度（後工程で溶解し易くするため）にして測定容器に充填する。
【００２６】
本発明に係るポリエステルフィルム或いはシートの溶解可能な溶剤は、溶解出来れば特に制限は無く、硫酸などの酸、或いはフッ化水素やフッ化アンモニウム等のフッ化物の水溶液、そしてフッ素系溶剤などが挙げられる。但し、前記酸やフッ化物は廃棄や取扱いが難しく特にフッ化物は毒性があるので、フッ素系溶剤が好ましい。
【００２７】
フッ素系溶剤としては、ペンタフルオロエタノールやヘキサフルオロ−２−プロパノール等のアルコール類、ヘキサフルオロアセトン等のケトン類、フルオロ酢酸等のカルボン酸類等が挙げられるが、臭いの問題や安全性、そして溶液の安定化を考慮した沸点を有するヘキサフルオロ−２−プロパノールが最も適している。ヘキサフルオロ−２−プロパノールはｋｇ当り数万円と高価格ではあるが、沸点が約５９℃であり引火点が１００℃であることから、測定した後の溶液について大気下で容易に蒸留して再利用することできる。
【００２８】
また、ポリエステルの中でも主要なポリエチレンテレフタレートに対するヘキサフルオロ−２−プロパノールの溶解性は、本発明者が検討した結果、固形分の重量％濃度で約１５ｗｔ％までは、完全溶解できることを確認した。さらに、精度よく測定するためには、少なくとも５ｗｔ％は必要と考えられたことから、５〜１５ｗｔ％の固形分濃度であれば均一な溶解状態を長時間でも安定して保持することができ、且つ高精度な測定が可能である。
【００２９】
Ｇｅ半導体検出器による放射能測定用の容器としては、２Ｌマリネリ容器とＵ−８容器があり、具体的な形状について、文部科学省  放射能測定法シリーズ７「ゲルマニウム半導体検出器によるガンマ線スペクトロメトリー」（平成４年）［以下，文科省マニュアルと略す］やＪＩＳ  Ｚ４５２０「ゲルマニウムγ線検出器の試験方法」に構造・寸法の例が示されているものが通常使用される。
【００３０】
ガンマ線放射性核種の定量分析方法については、文科省マニュアルにおいて詳細に記載されており、２Ｌマリネリ容器を使用する場合は２Ｌ容積標線まで、Ｕ−８容器を使用する場合は、５〜５０ｍｍの充填高さ（効率校正用標準線源の充填高さの範囲）まで均一な試料を充填することが高精度な定量分析を行う際には重要である。
【００３１】
従来は、プラスチックフィルム或いはシートの単一体は枚葉状の非可塑性固形物であるため、２Ｌマリネリ容器或いはＵ−８容器内で均一に分散させ、充填高さを２Ｌマリネリ容器では２Ｌ容積標線まで、Ｕ−８容器では最大５０ｍｍ程度の範囲で充填面をほぼ水平にすることが困難であった。また、試料の均一化前処理法として、電気炉等を使った乾式灰化があるが、長時間を要し減容が非常に大きいので大量な試料量が必要であるのと、加熱により放射性核種が気散し周囲を汚染したり、特に測定対象核種のＣｓ−１３７は酸化物を形成して気化による損失してしまう課題があった。
【００３２】
そこで、本発明者は鋭意検討した結果、ポリエステルフィルム或いはシートを、ヘキサフルオロ−２−プロパノール等のポリエステル可溶な溶剤に溶解させることにより、均一に溶液化された試料を得ることができることを見出した。これにより、一定の充填高さにすることも可能となった
但し、測定容器としてＵ−８容器の材質はポリプロピレン或いはポリスチレンのポリオレフィン系なのでヘキサフルオロ−２−プロパノール等のフッ素系溶剤に対して耐溶剤性を有するが、２Ｌマリネリ容器の材質は通常ポリメタクリレートでありエステル結合を有するため、耐溶剤性が充分に無く劣化する恐れがある。従って、高価なため使い捨てせず繰り返し用途の２Ｌマリネリ容器には問題となる。そこで、２Ｌマリネリ容器を使用する場合は、予めポリエチレンやポリプロピレン製のポリオレフィン製内装袋を入れ、その中
に本発明に係るポリエステルフィルム或いはシートを充填しヘキサフルオロ−２−プロパノール等のフッ素系溶剤を加えて調製することが望ましい。ポリエチレンやポリプロピレン製の内装袋は、市販されている２Ｌマリネリ容器専用内装袋や丸底状のいわゆるゴミ袋が容器にフィットするので好ましく、試料を充填した際に内装袋と容器との空隙を低く抑えることができ高精度な定量分析が実現できる。
【００３３】
以上のように、本発明のポリエステルフィルム或いはシートのガンマ線放射性核種定量分析方法によれば、２Ｌマリネリ容器やＵ−８容器等の測定容器にポリエステルフィルム或いはシートを均一に溶解した溶液状態で一定の充填高さに入れることが可能となり、精度の高いガンマ線放射性核種の定量分析を行うことが出来る。
【実施例】
【００３４】
次に本発明を、具体的な実施例を挙げて説明するが、本発明はこれらに限定するものではない。
【００３５】
以下に、実施例に係るポリエステルフィルムの放射能汚染の有無確認のため使用したＧＭ（ガイガー・ミュラー）型サーベイメーターとガンマ線放射性核種の定量分析を行ったＧｅ半導体検出器装置を示す。
□ＧＭ型サーベイメーター）アララサーベイＪＥＲＳＶ−１０２（日本環境調査研究所製）
・検出器            ：マイカ製入射窓付円形ＧＭ管（窓径５０ｍｍΦ、開口率約８６％）
・機器効率          ：５０％／２π  設計中心値
・測定範囲          ：１０〜９９９９９ｍｉｎ−１（ｃｐｍ）
□Ｇｅ半導体検出器装置）  ＥＧ−ＥＭＳ（セイコー・イージーアンドジー社製）
・結晶              ：Ｐ型高純度ゲルマニウム半導体
・エネルギー分解能  ：２．００ｋｅＶ以下
・相対効率          ：１５％以上
・エネルギー測定範囲：４０ｋｅＶ〜２０００ｋｅＶ
次に、実際に放射能汚染したポリエステルフィルム自体は入手できないので、事前に放射能汚染が無いことをＧＭ型サーベイメータで確認した市販ポリエチレンテレフタレート（以下、ＰＥＴ）フィルム（膜厚１２μｍ）を約１０〜５０ｍｍ程度のサイズに断裁機で切片化し、固形分濃度１５ｗｔ％溶液試料を作製した。以下に、測定容器毎の作製手順を示す。
なお、試料の重量測定は全て電子天秤で行った。
【００３６】
（１）２Ｌマリネリ容器使用の場合
２Ｌマリネリ容器に、市販の内装用２Ｌマリネリ専用袋（関谷理化社製、マリネリバックＭＢ２Ｌ−１００、材質：ポリエチレン）を入れて２Ｌ標線まで水を加えると約１９２０ｇ充填できるので、本発明に係るポリエステル可溶溶剤のヘキサフルオロ−２−プロパノール（東京化成社製：以下省略）を２Ｌ標線まで充填した時の重量は、比重が１．５９６（参照：“Ｔｈｅ  Ｄｉｃｔｉｏｎａｒｙ  ｏｆ  Ｓｕｂｓｔａｎｃｅｓ  ａｎｄ  ｔｈｅｉｒ  Ｅｆｆｅｃｔｓ  ２ｎｄ  ｅｄ．”ｖｏｌ．４（１９９９）”）であることから、３０６４ｇとなる。従って、前記切片化したＰＥＴフィルム５４０ｇを２Ｌマリネリ容器内の内装袋に入れ、続いて３０６４ｇのヘキサフルオロ−２−プロパノールを加え、ＳＵＳ製の薬さじで時々攪拌した所、約３０分間で溶解でき、本発明に係る固形分濃度１５ｗｔ％溶液を作製した。
【００３７】
（２）Ｕ−８容器使用の場合
ポリプロピレン製の市販Ｕ−８容器に前記切片化したＰＥＴフィルム１．５ｇを入れ、
続いてヘキサフルオロ−２−プロパノールを加え、ＳＵＳ製のミクロスパチュラで時々攪拌した所、約１０分間で溶解でき、本発明に係る固形分濃度１５ｗｔ％溶液を作製した。また、充填高さは一定になりノギスで計測した所、５．５ｍｍであった。
【００３８】
以上の放射能汚染の無いＰＥＴフィルム溶液試料を使って、以下の各汚染濃度を想定した場合における実施例を検討した。検討した汚染濃度は、厚労省が定めた各食品群の放射性セシウム基準値の内、飲料水の基準値（１０Ｂｑ／ｋｇ）と一般食品の基準値（１００Ｂｑ／ｋｇ）相当の汚染がＰＥＴフィルムにある場合を想定して検討した。
【００３９】
＜実施例１＞
□２Ｌマリネリ容器使用：１０Ｂｑ／ｋｇ相当の汚染を想定したＰＥＴフィルムの場合
前記（１）で作製した２Ｌマリネリ容器に充填された溶液試料に対して、高濃度に汚染された土壌から公知の方法［参照）農業環境技術研究所報告、第３１号（２０１２）：以下省略］により抽出した塩化カリウム水溶液（Ｃｓ−１３７：１６２０Ｂｑ／ｋｇ、予めＧｅ半導体検出装置で測定）を２．８２ｇ添加してＳＵＳ製薬さじで良く攪拌し溶解させ、再度秤量した値と添加量から逆算した放射性セシウム（Ｃｓ−１３７）濃度９．９２Ｂｑ／ｋｇの汚染が想定されたＰＥＴフィルムの溶液試料を調製した。そして、Ｇｅ半導体検出器装置で２，０００秒間測定した所、Ｃｓ−１３７の放射能濃度が１．２９Ｂｑ／ｋｇ、計数誤差による不確かさが±０．２９Ｂｑ／ｋｇとなった。なお、計算による理論値は１．３０Ｂｑ／ｋｇであった。
【００４０】
＜実施例２＞
□２Ｌマリネリ容器使用：１００Ｂｑ／ｋｇ相当の汚染を想定したＰＥＴフィルムの場合前記（１）で作製した２Ｌマリネリ容器に充填された溶液試料に対して、実施例１記載と同じ塩化カリウム水溶液（Ｃｓ−１３７：１６２０Ｂｑ／ｋｇ）を２９．３５ｇ添加してＳＵＳ製薬さじで良く攪拌し溶解させ、再度秤量した値と添加量から逆算した放射性セシウム（Ｃｓ−１３７）濃度１０３．３５Ｂｑ／ｋｇの汚染が想定されたＰＥＴフィルムの溶液試料を調製した。そして、Ｇｅ半導体検出器装置で２，０００秒間測定した所、Ｃｓ−１３７の放射能濃度が１２．９５Ｂｑ／ｋｇ、計数誤差による不確かさが±０．７３Ｂｑ／ｋｇとなった。なお、計算による理論値は１３．３８Ｂｑ／ｋｇであった。
【００４１】
＜実施例３＞
□Ｕ−８容器使用：１０Ｂｑ／ｋｇ相当の汚染を想定したＰＥＴフィルムの場合
前記（２）で作製したＵ−８容器に充填された溶液試料に対して、高濃度に汚染された土壌から公知の方法により抽出した塩化カリウム水溶液（Ｃｓ−１３７：１６２０Ｂｑ／ｋｇ、予めＧｅ半導体検出装置で測定）を０．０３９ｇ添加してＳＵＳ製ミクロスパチュラで良く攪拌し溶解させ、再度秤量した値と添加量から逆算した放射性セシウム（Ｃｓ−１３７）濃度１４．０２Ｂｑ／ｋｇの汚染が想定されたＰＥＴフィルムの溶液試料を調製した。そして、Ｇｅ半導体検出器装置で５０，０００秒間測定した所、Ｃｓ−１３７の放射能濃度が２．２６Ｂｑ／ｋｇ、計数誤差による不確かさが±０．５１Ｂｑ／ｋｇとなった。なお、計算による理論値は２．７７Ｂｑ／ｋｇであった。
【００４２】
＜実施例４＞
□Ｕ−８容器使用：１００Ｂｑ／ｋｇ相当の汚染を想定したＰＥＴフィルムの場合
前記（２）で作製したＵ−８容器に充填された溶液試料に対して、高濃度に汚染された土壌から公知の方法により抽出した塩化カリウム水溶液（Ｃｓ−１３７：１６２０Ｂｑ／ｋｇ、予めＧｅ半導体検出装置で測定）を０．３０ｇ添加してＳＵＳ製ミクロスパチュラで良く攪拌し溶解させ、再度秤量した値と添加量から逆算した放射性セシウム（Ｃｓ−１３７）濃度１０６．２８Ｂｑ／ｋｇの汚染が想定されたＰＥＴフィルムの溶液試料を調製した。そして、Ｇｅ半導体検出器装置で１５，０００秒間測定した所、Ｃｓ−１３７の放射能濃度が１７．７５Ｂｑ／ｋｇ、計数誤差による不確かさが±１．７１Ｂｑ／ｋｇとなった。なお、計算による理論値は１７．２２Ｂｑ／ｋｇであった。
【００４３】
次に、各実施例の設定条件、及び測定条件（表１）をまとめ、各実施例の測定結果と理論値、及び判定結果（表２）を記載する（測定値は、汚染土壌の採取日に減衰補正した）。
【００４４】
【表１】
2015059789.tif 000002
【００４５】
【表２】
2015059789.tif 000003
表２の結果から、各実施例の何れもが、実際に測定した放射能濃度の計数誤差による不確かさの加減範囲内に理論値がおさまることが分かった。従って、本発明のポリエステルフィルム或いはシートのガンマ線放射性核種定量分析方法は、放射能汚染したポリエステルフィルム或いはシートのガンマ線放射性核種定量分析方法として妥当であると判断され、精度が高い定量分析であることが確認できた。なお、実施例１及び２ではＰＥＴフィルムの溶剤としてテトラフルオロ−２−プロパノールを大量に使用しており、試薬コストが高くなっているが、測定後、蒸留装置を組み立てて溶液試料を大気下で蒸留した所、良好に再生でき、蒸留されたテトラフルオロ−２−プロパノールだけをＧｅ半導体検出器で測定した所、放射性セシウムは検出されず、再利用できることを確認した。
【産業上の利用可能性】
【００４６】
日常生活において身の周りに多く存在するポリエステルフィルム或いはシートの工業製品について、高い精度が得られるガンマ線放射性核種の定量分析方法。